(57)【要約】【課題】複数の表示画面を備える電子機器において、アイコンが表示されている表示画面とは異なる表示画面にコンテンツを表示させようとする場合には、ユーザに煩雑な操作を要求する。そのため、煩雑な操作を必要とせず、直感的な操作によって、操作している画面とは異なる画面にコンテンツを表示させることができる電子機器が、望まれる。【解決手段】電子機器は、複数の表示部と、複数の表示部のうち、第１の表示部に表示している画像に対する操作を検出する操作検出部と、操作検出部が検出した操作に基づいて、複数の表示部のうち、第１の表示部とは異なる第２の表示部に、画像に関連した表示を行う制御部と、を備える。【選択図】図１
2013114540.tif 000002
【特許請求の範囲】
【請求項１】
複数の表示部と、
前記複数の表示部のうち、第１の表示部に表示している画像に対する操作を検出する操作検出部と、
前記操作検出部が検出した操作に基づいて、前記複数の表示部のうち、前記第１の表示部とは異なる第２の表示部に、前記画像に関連した表示を行う制御部と、
を備えることを特徴とする電子機器。
【請求項２】
前記制御部は、前記画像を第１の方向に移動するフリング操作に基づいて、前記第２の表示部に、前記画像に関連した表示を行う請求項１の電子機器。
【請求項３】
前記制御部は、ユーザが前記フリング操作によって、前記画像を移動させる速度、又は、前記画像を移動させる距離、に応じ、前記画像を前記第１の表示部上で移動させて表示する請求項２の電子機器。
【請求項４】
前記制御部は、前記第１の方向を、前記第１及び第２の表示部の配置に基づき定める請求項２又は３の電子機器。
【請求項５】
前記制御部は、前記画像が移動する速度が予め定めた閾値以上の場合、及び、前記第１の方向が予め定めた方向の範囲内である場合に、前記第２の表示部に前記画像に関連した表示を行う請求項２乃至４のいずれか一に記載の電子機器。
【請求項６】
前記制御部は、前記画像が、前記第１の表示部上の予め定めた領域に移動した場合に、前記第２の表示部に前記画像に関連した表示を行う請求項２乃至５のいずれか一に記載の電子機器。
【請求項７】
前記画像は、アプリケーションに関連付けされているアイコンであって、前記制御部は、前記画像に関連した表示として、前記アプリケーションによって作成されるコンテンツを表示する請求項１乃至６のいずれか一に記載の電子機器。
【請求項８】
前記制御部は、前記第２の表示部に前記画像に関連した表示を行った後は、前記画像を移動前の場所に表示する請求項２乃至７のいずれか一に記載の電子機器。
【請求項９】
複数の表示部を備える電子機器の制御方法であって、
前記複数の表示部のうち、第１の表示部に表示している画像に対する操作を検出する第１の工程と、
前記第１の工程で検出した操作に基づいて、前記複数の表示部のうち、前記第１の表示部とは異なる第２の表示部に、前記画像に関連した表示を行う第２の工程と、
を含むことを特徴とする電子機器の制御方法。
【請求項１０】
複数の表示部を備える電子機器を制御するコンピュータに実行させるプログラムであって、
前記複数の表示部のうち、第１の表示部に表示している画像に対する操作を検出する第１の処理と、
前記第１の処理で検出した操作に基づいて、前記複数の表示部のうち、前記第１の表示部とは異なる第２の表示部に、前記画像に関連した表示を行う第２の処理と、
を実行するプログラム。
【発明の詳細な説明】
【技術分野】
【０００１】
本発明は、電子機器、その制御方法及びプログラムに関する。特に、複数の表示画面を備える電子機器、その制御方法及びプログラムに関する。
【背景技術】
【０００２】
携帯電話、スマートフォン、タブレットＰＣ（Ｐｅｒｓｏｎａｌ  Ｃｏｍｐｕｔｅｒ）、ノートＰＣ、ゲーム機等の電子機器は、複数の表示画面を備える場合がある。複数の表示画面を備えていれば、一方の表示画面においてインターネット上で情報検索を行い、他の表示画面で検索結果を利用して文章等を作成するといった操作を容易に行うことができる。そのため、アプリケーションを起動する際に、アイコン等が表示されていない表示画面にコンテンツを表示させたいという要求が存在する。アイコンが表示されている表示画面にコンテンツを表示させてしまうと、アイコンが隠れてしまい、他のアプリケーションを起動するのが困難になるからである。
【０００３】
ここで、特許文献１において、複数の表示画面を備える携帯端末装置であって、２つの画面を縮小して１つの画面に表示し、アイコンを移動させる携帯端末装置が開示されている。
【０００４】
また、特許文献２において、一方のタッチパネル上の押圧位置の変化が所定条件を満たす場合に、他方のタッチパネル上の位置を特定し、２つのタッチパネル間で表示物を移動させる技術が開示されている。
【０００５】
さらに、特許文献３において、一方のタッチパネル上の表示物の位置で押圧が開始され、所定の条件を満たしつつ他方のタッチパネル上の押圧が開始された場合には、表示物を移動させる携帯端末装置が開示されている。
【先行技術文献】
【特許文献】
【０００６】
【特許文献１】特開２０１１−０７０５２５号公報
【特許文献２】特開２０１０−２３８１４８号公報
【特許文献３】特開２０１１−０９５８９０号公報
【発明の概要】
【発明が解決しようとする課題】
【０００７】
なお、上記先行技術文献の各開示を、本書に引用をもって繰り込むものとする。以下の分析は、本発明の観点からなされたものである。
【０００８】
上述のような複数の表示画面を備える電子機器において、操作を行っている表示画面とは異なる表示画面にコンテンツを表示させる方法として以下のようなものが考えられる。
【０００９】
アプリケーションに関連付けされたアイコンを選択し（タップし）、コンテンツを現在の表示画面に表示させる。その後、コンテンツを表示しているウィンドウを他の表示画面に移動させる第１の方法が考えられる。若しくは、アイコンを他の画面に移動させた後に、アイコンを選択し、コンテンツを表示させる第２の方法も考えられる。
【００１０】
しかし、いずれの方法であっても、ユーザには２段階の操作が要求されている。このように、ユーザが意図する動作を実現するために、何度も操作が必要な電子機器は操作性が優れているとは評価されない。即ち、ユーザに多大な負担がかかり、操作性の悪い電子機器であるとみなされてしまう。
【００１１】
また、アイコン（又は、ウィンドウ）を移動させる際に、特許文献１が開示する技術を使用しても、アイコンを移動するたびに２つの表示画面を１つの画面に表示させるため、ユーザが直感的に操作することは困難である。さらに、複数の表示画面が枠などによって隔てられている場合に、特許文献２及び３の技術を使用し、アイコンを他の表示画面に移動させたとしても、操作性は改善しない。特許文献２及び３が開示するいずれの技術も、アイコンの移動中に指を離す必要があるためである。
【００１２】
そのため、煩雑な操作を必要とせず、直感的な操作によって、操作している画面とは異なる画面にコンテンツを表示させることができる電子機器、その制御方法及びプログラムが、望まれる。
【課題を解決するための手段】
【００１３】
本発明の第１の視点によれば、複数の表示部と、前記複数の表示部のうち、第１の表示部に表示している画像に対する操作を検出する操作検出部と、前記操作検出部が検出した操作に基づいて、前記複数の表示部のうち、前記第１の表示部とは異なる第２の表示部に、前記画像に関連した表示を行う制御部と、を備える電子機器が提供される。
【００１４】
本発明の第２の視点によれば、複数の表示部を備える電子機器の制御方法であって、前記複数の表示部のうち、第１の表示部に表示している画像に対する操作を検出する第１の工程と、前記第１の工程で検出した操作に基づいて、前記複数の表示部のうち、前記第１の表示部とは異なる第２の表示部に、前記画像に関連した表示を行う第２の工程と、を含む電子機器の制御方法が提供される。
【００１５】
本発明の第３の視点によれば、複数の表示部を備える電子機器を制御するコンピュータに実行させるプログラムであって、前記複数の表示部のうち、第１の表示部に表示している画像に対する操作を検出する第１の処理と、前記第１の処理で検出した操作に基づいて、前記複数の表示部のうち、前記第１の表示部とは異なる第２の表示部に、前記画像に関連した表示を行う第２の処理と、を実行するプログラムが提供される。なお、このプログラムは、コンピュータが読み取り可能な記憶媒体に記録することができる。即ち、本発明は、コンピュータプログラム製品として具現することも可能である。記憶媒体は、非トランジェント（ｎｏｎ−ｔｒａｎｓｉｅｎｔ）なものとすることができる。
【発明の効果】
【００１６】
本発明の各視点によれば、煩雑な操作を必要とせず、直感的な操作によって、操作している画面とは異なる画面にコンテンツを表示させることができる電子機器、その制御方法及びプログラムが、提供される。
【図面の簡単な説明】
【００１７】
【図１】本発明の一実施形態の概要を説明するための図である。
【図２】本発明の第１の実施形態に係る電子機器１の全体構成の一例を示す平面図である。
【図３】電子機器１の内部構成の一例を示す図である。
【図４】液晶パネル１０及び１１の表示の一例を示す図である。
【図５】電子機器１に対するユーザ操作（アイコンの選択）の一例を示す図である。
【図６】電子機器１に対するユーザ操作（フリング操作）の一例を示す図である。
【図７】電子機器１の動作の一例を示すフローチャートである。
【図８】液晶パネル１０及び１１の表示の一例を示す図である。
【図９】液晶パネル１０及び１１の表示の一例を示す図である。
【図１０】液晶パネル１０及び１１の表示の一例を示す図である。
【図１１】液晶パネル１０及び１１の表示の一例を示す図である。
【図１２】液晶パネル１０〜１３の表示の一例を示す図である。
【図１３】液晶パネル１０〜１２の表示の一例を示す図である。
【発明を実施するための形態】
【００１８】
初めに、図１を用いて一実施形態の概要について説明する。なお、この概要に付記した図面参照符号は、理解を助けるための一例として各要素に便宜上付記したものであり、本発明を図示の態様に限定することを意図するものではない。
【００１９】
上述のように、複数の表示画面を備える電子機器において、アイコンが表示されている表示画面とは異なる表示画面にコンテンツを表示させようとする場合には、ユーザに煩雑な操作を要求する。そのため、煩雑な操作を必要とせず、直感的な操作によって、操作している画面とは異なる画面にコンテンツを表示させることができる電子機器が、望まれる。
【００２０】
そこで、一例として図１に示す電子機器１００を提供する。図１に示す電子機器１００は、複数の表示部と、複数の表示部のうち、第１の表示部１０１に表示している画像に対する操作を検出する操作検出部１０２と、操作検出部１０２が検出した操作に基づいて、複数の表示部のうち、第１の表示部１０１とは異なる第２の表示部１０３に、画像に関連した表示を行う制御部１０４と、を備える。
【００２１】
ユーザが電子機器１００に対して行った操作を操作検出部１０２が検出する。そして、制御部１０４が、ユーザは画像を第２の表示部１０３に表示させる意図で操作を行ったと判断した場合には、画像に関連した表示（アプリケーションによるコンテンツの表示等）を第２の表示部１０３で行う。ここで、ユーザが画像を第２の表示部１０３に表示させる意図で行ったと操作には、選択した画像を第２の表示部１０３に向けて弾くように移動させるフリング操作（フリック操作）が考えられる。その結果、ユーザは、画像を第２の表示部１０３に向けてフリング操作すれば良く、簡易な操作によって、操作している画面とは異なる画面にコンテンツを表示させることができる。
【００２２】
以下に具体的な実施の形態について、図面を参照してさらに詳しく説明する。
【００２３】
［第１の実施形態］
本発明の第１の実施形態について、図面を用いてより詳細に説明する。
【００２４】
図２は、本実施形態に係る電子機器１の全体構成の一例を示す平面図である。
【００２５】
電子機器１は、液晶パネル１０及び１１を備えている。なお、電子機器１はタッチパネルによって操作可能であるが、液晶パネル１０及び１１と一体化されているため図示していない。さらに、表示部として液晶パネルを用いて以降の説明を行うが、表示部を液晶パネルに限定する趣旨ではない。有機ＥＬ（Ｅｌｅｃｔｒｏ  Ｌｕｍｉｎｅｓｃｅｎｃｅ）パネル等の表示部であっても良い。
【００２６】
さらに、電子機器１が備えるタッチパネルは、平板状のセンサによりユーザの操作を検出するデバイスである。ここで、タッチパネルの方式には、静電容量方式を初めとして各種存在するが、その方式は問わない。例えば、ユーザの指等の物体が近接したことを検出する近接検出型のタッチパネルを用いることも可能である。
【００２７】
図３は、電子機器１の内部構成の一例を示す図である。電子機器１は、液晶パネル１０及び１１と、タッチパネル２０と、加速度センサ３０と、制御部４０と、メモリ５０から構成されている。なお、図３には、簡単のため、本実施形態に係る電子機器１に関係するモジュールのみを記載する。液晶パネル１０及び１１、タッチパネル２０は上述のとおりであるので、さらなる説明を省略する。
【００２８】
加速度センサ３０は、電子機器１に加えられた衝撃や電子機器１の移動を感知し、制御部４０にその結果を出力する。
【００２９】
制御部４０は、加速度センサ３０からの出力によって、ユーザによるタップ操作やフリング操作の検出が行える。さらに、加速度センサ３０を使用することで、ユーザ操作の方向や速度に関する情報を取得することができる。
【００３０】
制御部４０は、タッチパネル２０の出力も受け付け、ユーザが液晶パネル１０又は１１に接触した点（Ｘ座標、Ｙ座標）を検出する。制御部４０は、タッチパネル２０や加速度センサ３０から得られた情報に基づき、アプリケーションの起動やコンテンツの表示を行う。
【００３１】
メモリ５０は、制御部４０の動作の際に必要となる情報を一時的に記憶する。さらに、メモリ５０には、液晶パネル１０に表示させる画像データをバッファする液晶パネル１０用領域５１と、液晶パネル１１に表示させる画像データをバッファする液晶パネル１１用領域５２と、が含まれている。メモリ５０に、２つの液晶パネル１０及び１１に対応した領域を確保することで、それぞれの液晶パネルに独立してコンテンツの表示が可能になる。
【００３２】
次に、電子機器１の動作について説明する。
【００３３】
図４は、液晶パネル１０及び１１の表示の一例を示す図である。
【００３４】
図４では、液晶パネル１０にアプリケーションと関連付けられた４つのアイコンを表示しており、液晶パネル１１には、表示はなされていないものとする。ここでは、メールのアプリケーションと関連付けされたアイコンＡ０１をユーザが操作することによって、液晶パネル１１にそのコンテンツの内容（メールの本文等）を表示させる場合の動作について説明する。
【００３５】
具体的には、ユーザが、アイコンＡ０１の起動を意図した場合には、初めにＡ０１を選択する（図５参照）。さらに、ユーザが、アイコンＡ０１に関連付けられたメールのアプリケーションを起動し、そのコンテンツを液晶パネル１１に表示させたいと意図した場合には、図６に示すようなフリング操作を行うものとする。制御部４０は、ユーザによる操作が行われた際には、フリング操作の態様（アイコンを移動する速度や移動距離）に応じて、液晶パネル１０の表示画面内で、アイコンを移動させる（移動しているかのような表示を行う）。
【００３６】
図７は、電子機器１の動作の一例を示すフローチャートである。
【００３７】
ステップＳ０１において、制御部４０は、液晶パネル１０及び１１の配置方向を検出し、検出した結果をメモリ５０に記憶する。ここで、液晶パネル１０及び１１の配置方向を検出する理由は、液晶パネル１０及び１１の配置方向は、ユーザが電子機器１を操作している状態によって異なるためである。例えば、図４では、液晶パネル１１は液晶パネル１０のＸ方向（右方向）に位置している。しかし、ユーザが常に図５に示すような状態で電子機器１を使用するとは限らず、図５に示す液晶パネル１０及び１１の状態から左に９０°回転させて使用する場合も考慮する必要があるためである。
【００３８】
ステップＳ０２において、制御部４０は、ユーザによるフリング操作が行われたか否かを判断する。制御部４０が、ユーザによるフリング操作が行われたと判断した場合には、ステップＳ０３に遷移する。制御部４０が、ユーザによるフリング操作が行われていないと判断した場合には、ステップＳ０２の処理を継続する。
【００３９】
ステップＳ０３において、制御部４０が、アイコンの移動速度が予め定めた閾値以上か否か判断する。制御部４０が、アイコンの移動速度が予め定めた閾値以上であると判断した場合には、ステップＳ０４に遷移する。制御部４０が、アイコンの移動速度が予め定めた閾値以上ではないと判断した場合には、ステップＳ０７に遷移する。
【００４０】
ステップＳ０４において、制御部４０が、アイコンの移動が液晶パネル１１の方向（アイコンＡ０１を表示していない液晶パネルの方向）を基準にして、一定の範囲内にあるか否かを判断する。制御部４０が、アイコンが液晶パネル１１の方向に移動していると判断した場合には、ステップＳ０５に遷移する。制御部４０が、アイコンが液晶パネル１１の方向に移動していないと判断した場合には、ステップＳ０７に遷移する。
【００４１】
ステップＳ０５において、制御部４０は、アイコンの移動を継続する。即ち、制御部４０は、フリング操作の速度が一定値（閾値）以上であって、その移動方向が一定の範囲内である場合には、液晶パネル１１に向けたアイコンの移動を継続する。
【００４２】
ステップＳ０６において、制御部４０は、ユーザがアイコンＡ０１以外のアイコン等をタッチする等の操作をユーザが行ったか否かを判断する。制御部４０が、ユーザの操作を検出した場合には、ステップＳ０７に遷移する。制御部４０が、ユーザの操作を検出しない場合には、ステップＳ０８に遷移する。
【００４３】
ステップＳ０７において、制御部４０は、アイコンＡ０１の移動及びコンテンツの表示を中止する。ここで、アイコンの移動速度が予め定めた閾値以上でなければ、そのような操作はユーザによる誤動作、又は、液晶パネル１０内でのアイコンの移動とみなせるためである。従って、このような場合は、制御部４０はアイコンＡ０１の移動及びコンテンツの表示を中止する。また、アイコンが移動している方向が、予め定めた方向の範囲内にない場合（アイコンの移動が液晶パネル１１の方向に向かっていない場合）にも、制御部４０は、アイコンＡ０１の移動及びコンテンツの表示を中止する。
【００４４】
さらに、ユーザによってフリングされたアイコンＡ０１が予め定めた判定領域に到達する前に、他のアイコン等にタッチする等の操作を行った場合にも、制御部４０は、アイコンＡ０１の移動及びコンテンツの表示を中止する。このような場合は、ユーザの意図は、アイコンＡ０１の移動及びコンテンツの表示の中断にあると考えられるからである。なお、判定領域については後述する。
【００４５】
ステップＳ０７に遷移した場合には、制御部４０は、選択されたアイコンＡ０１を液晶パネル１０において表示していた元の場所に戻す。
【００４６】
ステップＳ０８において、制御部４０は、アイコンＡ０１が予め定めた判定領域に到達したか否かを判断する。
【００４７】
図８は、液晶パネル１０及び１１の表示の一例を示す図である。図８において、液晶パネル１０の右端に配置された領域が判定領域６０である。制御部４０が、アイコンＡ０１が予め定めた判定領域６０に到達したと判断した場合には、ステップＳ０９に遷移する。制御部４０が、アイコンＡ０１が予め定めた判定領域６０に到達していないと判断した場合には、ステップＳ０６に戻り、処理を継続する。
【００４８】
ステップＳ０９において、制御部４０は、アイコンＡ０１に関連付けられたメールのアプリケーションを起動し、そのコンテンツを液晶パネル１１に表示する（図９参照）。
【００４９】
ステップＳ１０において、移動されたアイコンを液晶パネル１０において表示されていた元の場所に戻す。
【００５０】
なお、本実施形態に係る電子機器１においては、加速度センサ３０を用いて、制御部４０がアイコンの移動速度及び方向の検出を行っているが、これに限定する趣旨ではない。制御部４０が、タッチパネル２０に対して行う制御を適宜変更することによって、タッチパネル２０の検出結果からアイコンの移動速度及び方向を検出すことができる。例えば、制御部４０が、タッチパネル２０の状態変化を検出するサンプリングを高速に行うことによって、精度良くユーザの操作を検出することができる。
【００５１】
さらに、タッチパネル２０に代えて、タッチパッドやマウスといったポインティングデバイスを使用するとも可能である。さらにまた、判定領域６０の配置は、必ずしも表示画面の端である必要はない。例えば、アイコンレイアウト等のデザインを考慮して、判定領域６０は最適な箇所に配置することが好ましい。
【００５２】
以上のように、本実施形態に係る電子機器１では、アイコンをフリング操作により移動させ、その移動が一定値以上の速度及び他の液晶パネルに向いているか否かをアプリケーションの起動及びコンテンツの表示を行う契機とする。その結果、ユーザが、他の液晶パネルにコンテンツを表示させようと考えた場合に、煩雑な操作を必要とせず、コンテンツの表示が行える。
【００５３】
また、電子機器１は、アイコンが配置されていた元の液晶パネルの一部（例えば、他の画面と接する側の端）に判定領域を設けている。そのため、複数の表示画面の間に枠等が配置され、物理的に離れている場合であっても、フリング操作という簡易な操作で、コンテンツの表示を行うことができる。さらに、ユーザが、アイコンに対して行ったフリング操作の態様（速度や方向）と複数の表示画面の配置方向に基づいて、アプリケーションの起動及びコンテンツの表示を行うか否かを自動判別するので、ユーザの意図する動作を忠実に実現できる。
【００５４】
［第２の実施形態］
続いて、第２の実施形態について図面を参照して詳細に説明する。
【００５５】
本実施形態では、表示画面の配置方向や個数について様々な組み合わせを持つ電子機器に対してもフリング操作によるアプリケーションの起動とコンテンツの表示が簡易に実現できることを説明する。なお、本実施形態における説明では、図２及び図３に相当する説明を省略する。さらに、本実施形態の説明において参照する図面において、図２及び図３と同一構成要素には、同一の符号を付し、その説明を省略する。
【００５６】
図１０は、液晶パネル１０及び１１の表示の一例を示す図である。
【００５７】
図１０に示すように、液晶パネル１０及び１１が上下に配置されている場合であっても、ユーザがアイコンに対して行ったフリング操作によって、アイコンが表示されていない表示画面にコンテンツを表示させることができる。
【００５８】
図１１は、液晶パネル１０及び１１の表示の一例を示す図である。
【００５９】
図１１に示すように、液晶パネル１０及び１１の表示画面の大きさが、それぞれ異なるものであっても良い。このような場合、制御部４０は、アイコンＡ０１が液晶パネル１１に向けて移動しているか否の判断を図１０に示す配置等と比較して、緩和することが望ましい。アイコンＡ０１が斜めに移動している場合であっても、液晶パネル１１に向かっていると判断できるためである。
【００６０】
さらに、電子機器が備える液晶パネルは２枚以上であっても良い。
【００６１】
図１２は、液晶パネル１０〜１３の表示の一例を示す図である。
【００６２】
図１２に示すように、４枚の液晶パネルを備える場合であっても、制御部４０は、ユーザがアイコンに対して行ったフリング操作によって、アイコンが表示されていない表示画面にコンテンツを表示することができる。アイコンＡ０１が図１１の点線で示す矢印の方向に向かって移動している場合に、制御部４０は、ユーザは他の表示画面にコンテンツを表示する意図を有していると判断する。
【００６３】
図１３は、液晶パネル１０〜１２の表示の一例を示す図である。
【００６４】
図１３に示すように、液晶パネルを跨がって、コンテンツを他の表示画面に表示させても良い。このような場合、制御部４０は、アイコンＡ０１の移動速度又は移動距離の違いや、判定領域をそれぞれの液晶パネル毎に設けることで、ユーザがいずれの液晶パネルにコンテンツを表示させる意図を有しているか判断することになる。
【００６５】
上記の実施形態の一部又は全部は、以下の付記のようにも記載され得るが、以下には限られない。
【００６６】
（付記１）複数の表示部と、前記複数の表示部のうち、第１の表示部に表示している画像に対する操作を検出する操作検出部と、前記操作検出部が検出した操作に基づいて、前記複数の表示部のうち、前記第１の表示部とは異なる第２の表示部に、前記画像に関連した表示を行う制御部と、を備える電子機器。
【００６７】
（付記２）前記制御部は、前記画像を第１の方向に移動するフリング操作に基づいて、前記第２の表示部に、前記画像に関連した表示を行う電子機器。
【００６８】
（付記３）前記制御部は、ユーザが前記フリング操作によって、前記画像を移動させる速度、又は、前記画像を移動させる距離、に応じ、前記画像を前記第１の表示部上で移動させて表示する電子機器。
【００６９】
（付記４）前記制御部は、前記第１の方向を、前記第１及び第２の表示部の配置に基づき定める電子機器。
【００７０】
（付記５）前記制御部は、前記画像が移動する速度が予め定めた閾値以上の場合、及び、前記第１の方向が予め定めた方向の範囲内である場合に、前記第２の表示部に前記画像に関連した表示を行う電子機器。
【００７１】
（付記６）前記制御部は、前記画像が、前記第１の表示部上の予め定めた領域に移動した場合に、前記第２の表示部に前記画像に関連した表示を行う電子機器。
【００７２】
（付記７）前記画像は、アプリケーションに関連付けされているアイコンであって、前記制御部は、前記画像に関連した表示として、前記アプリケーションによって作成されるコンテンツを表示する電子機器。
【００７３】
（付記８）前記制御部は、前記第２の表示部に前記画像に関連した表示を行った後は、前記画像を移動前の場所に表示する電子機器。
【００７４】
（付記９）複数の表示部を備える電子機器の制御方法であって、前記複数の表示部のうち、第１の表示部に表示している画像に対する操作を検出する第１の工程と、前記第１の工程で検出した操作に基づいて、前記複数の表示部のうち、前記第１の表示部とは異なる第２の表示部に、前記画像に関連した表示を行う第２の工程と、を含む電子機器の制御方法。
【００７５】
（付記１０）前記第１の工程は、前記画像を第１の方向に移動するフリング操作を検出し、前記第２の工程は、ユーザが前記フリング操作によって、前記画像を移動させる速度、又は、前記画像を移動させた距離、に応じ、前記画像を前記第１の表示部上で移動させて表示する電子機器の制御方法。
【００７６】
（付記１１）前記第２の工程は、前記第１の方向を、前記第１及び第２の表示部の配置に基づき定める工程と、前記画像が移動する速度が予め定めた閾値以上の場合、及び、前記第１の方向が予め定めた方向の範囲内である場合に、前記第２の表示部に前記画像に関連した表示を行う工程と、を含む電子機器の制御方法。
【００７７】
（付記１２）前記第２の工程は、前記画像が、前記第１の表示部上の予め定めた領域に移動した場合に、前記第２の表示部に前記画像に関連した表示を行う電子機器の制御方法。
【００７８】
（付記１３）複数の表示部を備える電子機器を制御するコンピュータに実行させるプログラムであって、前記複数の表示部のうち、第１の表示部に表示している画像に対する操作を検出する第１の処理と、前記第１の処理で検出した操作に基づいて、前記複数の表示部のうち、前記第１の表示部とは異なる第２の表示部に、前記画像に関連した表示を行う第２の処理と、を実行するプログラム。
【００７９】
（付記１４）前記第１の処理は、前記画像を第１の方向に移動するフリング操作を検出し、前記第２の処理は、ユーザが前記フリング操作によって、前記画像を移動させる速度、又は、前記画像を移動させた距離、に応じ、前記画像を前記第１の表示部上で移動させて表示するプログラム。
【００８０】
（付記１５）前記第２の処理は、前記第１の方向を、前記第１及び第２の表示部の配置に基づき定める処理と、前記画像が移動する速度が予め定めた閾値以上の場合、及び、前記第１の方向が予め定めた方向の範囲内である場合に、前記第２の表示部に前記画像に関連した表示を行う処理と、を実行するプログラム。
【００８１】
（付記１６）前記第２の処理は、前記画像が、前記第１の表示部上の予め定めた領域に移動した場合に、前記第２の表示部に前記画像に関連した表示を行うプログラム。
【００８２】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８３】
１、１００  電子機器
１０〜１３  液晶パネル
２０  タッチパネル
３０  加速度センサ
４０、１０４  制御部
５０  メモリ
５１  液晶パネル１０用領域
５２  液晶パネル１１用領域
６０  判定領域
１０１  第１の表示部
１０２  操作検出部
１０３  第２の表示部
【図１】
2013114540.tif 000003
【図２】
2013114540.tif 000004
【図３】
2013114540.tif 000005
【図４】
2013114540.tif 000006
【図５】
2013114540.tif 000007
【図６】
2013114540.tif 000008
【図７】
2013114540.tif 000009
【図８】
2013114540.tif 000010
【図９】
2013114540.tif 000011
【図１０】
2013114540.tif 000012
【図１１】
2013114540.tif 000013
【図１２】
2013114540.tif 000014
【図１３】
2013114540.tif 000015